(57)【特許請求の範囲】
【請求項１】
データ記録部を有したカードを複数枚収納するカード収納部と、
このカード収納部に収納されたカードを１枚ずつ繰り出すカード繰出手段と、
このカード繰出手段によって繰り出されたカードを当該カード発行装置外へ発行するためのカード発行口と、
前記カード繰出手段によって繰り出されたカードを搬送路に沿って前記カード発行口まで搬送する搬送手段と、
この搬送手段によって搬送されるカードの前記データ記録部に対して、データの読取りと書込みの少なくとも一方のデータ処理を行うと共に、当該データ記録部の良否判定を行うことのできるデータ処理手段と、
このデータ処理手段によって前記データ処理ないし前記良否判定が行われたカードを前記搬送路から選択的に排除するための選別手段と、
この選別手段によって前記搬送路から排除されたカードを回収するカード回収部と、
前記データ処理手段による前記データ処理ないし前記良否判定の結果に基づいて前記選別手段を制御すると共に、利用者によって利用される状態であるカード発行モードと、係員によって利用される状態であるカード分類モードとを切換可能に構成された制御手段と
を備え、
前記制御手段は、
前記カード発行モードにおいては、前記データ処理手段による前記データ処理が正常に行われなかったカードを前記選別手段によって排除することで、利用者に対して、前記データ処理が正常に行われたカードのみが前記カード発行口から発行されるようにし、
前記カード分類モードにおいては、前記データ処理手段による前記良否判定の結果が良否いずれか一方のカードを前記選別手段によって排除することで、係員が、前記カード発行モードにおける前記データ処理が正常に行われる蓋然性の高い良判定のカードと、それ以外のカードとを分類できるようにする
制御を行うように構成されている、ことを特徴とするカード発行装置。
【請求項２】
当該カード発行装置の本体に対して開閉可能に設けられ、前記カード発行口に対応する扉体カード発行口が形成された扉体と、
この扉体の開閉を検知する開閉検知手段と
を更に備え、
前記制御手段は、前記開閉検知手段が前記扉体の開放を検知すると前記分類モードとなり、前記開閉検知手段が前記扉体の閉鎖を検知すると前記発行モードとなるように構成されている、ことを特徴とする請求項１記載のカード発行装置。
【請求項３】
前記データ処理手段は、前記カードのデータ記録部を初期化可能に構成されている、ことを特徴とする請求項１または２記載のカード発行装置。
【請求項４】
前記カード回収部は、当該カード発行装置の本体に対して着脱可能である、ことを特徴とする請求項１乃至３のいずれかに記載のカード発行装置。
【請求項５】
前記カード発行口まで搬送されたカードを回収するための、当該カード発行装置の本体に対して着脱可能なカード集積部を更に備えた、ことを特徴とする請求項１乃至４のいずれかに記載のカード発行装置。
【発明の詳細な説明】
【０００１】
【発明の属する技術分野】
本発明は、例えばＩＣカード等のデータ記録部を有したカードに対して所定のデータ処理を行って、これを発行するためのカード発行装置に関する。
【０００２】
【従来の技術】
図８には、従来のカード発行装置の例が示されている。図８に示すカード発行装置は、複数枚のカードＲを収納するカード収納部１０１を備え、この収納部１０１から一枚ずつ繰り出したカードＲを、搬送ローラ１０４によって搬送路１０５に沿って搬送するようになっている。
【０００３】
搬送されるカードＲは、データ処理部１０３によって、データ記録部の良否を判定されると共に、「良」判定のカードＲについてはデータ書込み等の所定のデータ処理がなされて発行される。
【０００４】
一方、「不良」判定のカードＲについては、データ処理部１０３から搬送路１０５を逆送され、揺動爪式の振分け機構１０６によってカード回収箱１０７に回収される。その後、改めて次のカードＲを繰り出して、同様のカード発行処理が行われる。なお、データ処理部１０３は、外部から挿入されたカードＲに対するデータ処理をも行うために、振分け機構１０６よりも下流側に設けられている。
【０００５】
【発明が解決しようとする課題】
上述した従来のカード発行装置には、以下のような問題点がある。すなわち、カード発行時にデータ記録部の良否判定を行って不良カードの逆送、回収を行っていると、利用者の待ち時間が長くなってしまう。また、管理者側としても、収納部１０１に装填したカードＲの中に不良カードが含まれていると、予定よりも早くカード切れを起こすことになり、カード販売の機会損失にも繋がる。
【０００６】
特に、ＩＣカードのように繰り返しデータの書換え等を行って再使用されるカードの場合、データ記録部の破損や精度低下等により不良カードが混在する可能性が比較的高く、そのような問題が生じやすい。
【０００７】
そこで、予めカードの良否判定を行って、データ処理が正常に行われる蓋然性の高い「良」判定のカードのみをカード発行装置に装填することが望ましい。しかし、カードの良否判定のために専用の装置を別途に用意することは、保管場所の確保やコスト等の点で問題がある。
【０００８】
本発明は、このような点を考慮してなされたものであり、予めカードの良否判定を行って、データ処理が正常に行われる蓋然性の高い「良」判定のカードのみを収納して発行処理できるようなカード発行装置を提供することを目的とする。
【０００９】
【課題を解決するための手段】
第１の発明は、データ記録部を有したカードを複数枚収納するカード収納部と、
このカード収納部に収納されたカードを１枚ずつ繰り出すカード繰出手段と、
このカード繰出手段によって繰り出されたカードを当該カード発行装置外へ発行するためのカード発行口と、
前記カード繰出手段によって繰り出されたカードを搬送路に沿って前記カード発行口まで搬送する搬送手段と、
この搬送手段によって搬送されるカードの前記データ記録部に対して、データの読取りと書込みの少なくとも一方のデータ処理を行うと共に、当該データ記録部の良否判定を行うことのできるデータ処理手段と、
このデータ処理手段によって前記データ処理ないし前記良否判定が行われたカードを前記搬送路から選択的に排除するための選別手段と、
この選別手段によって前記搬送路から排除されたカードを回収するカード回収部と、
前記データ処理手段による前記データ処理ないし前記良否判定の結果に基づいて前記選別手段を制御すると共に、利用者によって利用される状態であるカード発行モードと、係員によって利用される状態であるカード分類モードとを切換可能に構成された制御手段と
を備え、
前記制御手段は、
前記カード発行モードにおいては、前記データ処理手段による前記データ処理が正常に行われなかったカードを前記選別手段によって排除することで、利用者に対して、前記データ処理が正常に行われたカードのみが前記カード発行口から発行されるようにし、
前記カード分類モードにおいては、前記データ処理手段による前記良否判定の結果が良否いずれか一方のカードを前記選別手段によって排除することで、係員が、前記カード発行モードにおける前記データ処理が正常に行われる蓋然性の高い良判定のカードと、それ以外のカードとを分類できるようにする
制御を行うように構成されている、ことを特徴とするカード発行装置である。
【００１０】
この第１の発明によれば、カード発行モードにおいては、カード収納部から繰り出されて搬送されるカードのデータ記録部に対して、データ処理手段がデータ処理を行い、当該データ処理が正常に行われなかったカードが選別手段によって搬送路から排除され、カード回収部に回収される。一方、当該データ処理が正常に行われたカードは、そのまま搬送されてカード発行口から発行される。
【００１１】
一方、カード分類モードにおいては、カード収納部から繰り出されて搬送されるカードのデータ記録部に対して、データ処理手段が良否判定を行い、当該良否判定の結果が良否いずれか一方のカードが選別手段によって搬送路から排除され、カード回収部に回収される。一方、当該良否判定の結果が良否いずれか他方のカードは、そのまま搬送されてカード発行口から装置外へ出される。
【００１２】
これにより、カード分類モードにおいて、係員が、カード収納部に収納された複数枚のカードを良否判定の結果に応じて分類し、データ処理が正常に行われる蓋然性の高い「良」判定のカードのみを再びカード収納部に収納し直すことができる。
【００１４】
第２の発明は、第１の発明において、当該カード発行装置の本体に対して開閉可能に設けられ、前記カード発行口に対応する扉体カード発行口が形成された扉体と、この扉体の開閉を検知する開閉検知手段とを更に備え、前記制御手段は、前記開閉検知手段が前記扉体の開放を検知すると前記分類モードとなり、前記開閉検知手段が前記扉体の閉鎖を検知すると前記発行モードとなるように構成されているものである。
【００１５】
この第２の発明によれば、第１の発明において、扉体の開閉に応じて分類モードと発行モードとを自動的に切り換えることができる。
【００１６】
第３の発明は、第１または第２の発明において、前記データ処理手段は、前記カードのデータ記録部を初期化可能に構成されているものである。
【００１７】
この第３の発明によれば、第１または第２の発明において、カードを良否判定して分類する際にデータ記録部を初期化することで、「良」判定のカードをそのまま再使用することが可能となる。
【００１８】
第４の発明は、第１乃至第３の発明のいずれかにおいて、前記カード回収部を、当該カード発行装置の本体に対して着脱可能としたものである。
【００１９】
この第４の発明によれば、第１乃至第３の発明のいずれかにおいて、カードを良否判定して分類した後、カード回収部を本体から取り外すことで、そこに回収したカードが「良」判定のものである場合は一括してカード収納部に収納し直すことができる。また、そこに回収したカードが「不良」判定のものである場合は一括して処分することができる。
【００２０】
第５の発明は、第１乃至第４の発明のいずれかにおいて、前記カード発行口まで搬送されたカードを回収するための、当該カード発行装置の本体に対して着脱可能なカード集積部を更に備えたものである。
【００２１】
この第５の発明によれば、第１乃至第４の発明のいずれかにおいて、カードを良否判定して分類する際、カード集積部を本体に取り付けておくことで、カード発行口まで搬送されたカードがカード集積部に回収される。そして、分類後にカード集積部を本体から取り外すことで、そこに回収したカードが「良」判定のものである場合は一括してカード収納部に収納し直すことができる。また、そこに回収したカードが「不良」判定のものである場合は一括して処分することができる。なお、カードをデータ処理して発行する際は、カード集積部が本体から取り外される。
【００２２】
【発明の実施の形態】
次に、図面を参照して本発明の実施の形態について説明する。図１乃至図７は本発明によるカード発行装置の実施の形態を示す図である。なお、図１乃至図７に示す本発明の実施の形態において、図８に示す従来例と同一の構成部分には同一符号を付して説明する。
【００２３】
［第１の実施形態］
まず、図１乃至図６により本発明の第１の実施形態について説明する。
【００２４】
〈カード処理ユニットの構成〉
図１には、カード処理ユニットＡとして構成された本実施形態のカード発行装置が示されている。このカード処理ユニット（カード発行装置）Ａは、後述するように、図２に示すカード販売機に内蔵され、データ記録部を有したＩＣカードＲの発行処理等を行うように構成されている。
【００２５】
図１において、このカード処理ユニットＡは、カード収納部１、カード繰出機構２、搬送手段３、データ処理部４、選別機構５およびカード回収箱６を備えている。またカード処理ユニットＡは、上記の構成要素１〜６を収納する筐状の本体ａ０を備え、この本体ａ０の前面（図１の左側）にカード入出口（カード発行口）ａ１が設けられている。なお、カード入出口ａ１に対応してカードＲの底面を案内するガイド部材ｅ１５が突設されている。
【００２６】
次に、上記の構成要素１〜６についてそれぞれ説明する。まず、カード収納部１は、カードＲを平積み状態で複数枚収納する筐体１０と、この筐体１０内で圧縮バネ１２により上方へ付勢された底板１４とを有している。また、カード繰出機構２は、カード収納部１に収納された最上位のカードＲを、モータ２０の駆動によって前方（図１の左方）へ繰り出す繰出ローラ２２と、繰り出されるカードＲを１枚ずつに制限するためのゲート部材２４とを有している。
【００２７】
また、搬送手段３は、搬送路３０と、モータ３４によって駆動される複数の搬送ローラ３２とを有している。そして、この搬送手段３は、カード繰出機構２によって繰り出されたカードＲを搬送路３０に沿って略水平にカード発行口ａ１まで搬送すると共に、それとは反対方向にもカードＲを搬送（逆送）できるように構成されている。
【００２８】
次に、データ処理部（データ処理手段）４は、搬送路３０の下流側に対応して設けられ、搬送手段３によって搬送されるカードＲのデータ記録部に対してデータ処理（データの読取りや書込み等）を行うと共に、当該データ記録部の良否判定を行うことができるように構成されている。また、データ処理部４は、カードＲのデータ記録部の初期化を行うこともできるように構成されている。なお、以上の各処理は、カードＲに対して非接触式で行われる。
【００２９】
また、選別機構（選別手段）５は、カード繰出機構２とデータ処理部４との間の搬送路３０上に設けられ、データ処理部４によってデータ処理ないし良否判定が行われたカードＲを（その処理ないし判定の結果に応じて）搬送路３０から選択的に排除できるように構成されている。この場合、選別機構５によって排除されるカードＲは、搬送手段３によってデータ処理部４から選別機構５まで逆送されて来ることになる。なお、選別機構５の具体的な構成については後述する。
【００３０】
そして、カード回収箱（カード回収部）６は、選別機構５によって搬送路３０から排除（落下）されたカードＲを回収するために、選別機構５の下方に配置されている。このカード回収箱６は、カード処理ユニット本体ａ０に対して着脱可能となっている。なお、カード回収箱６には、カードＲの回収枚数が限界に達したことを検知するための満杯検知センサ６０が設けられている。
【００３１】
次に図３には、カード処理ユニットＡを含むカード販売機全体の動作を制御するための制御部（制御手段）Ｕが示されている。この制御部Ｕは、データ処理部４によるデータ処理が正常に行われなかったカードＲ、およびデータ処理部４による良否判定の結果が「不良」であったカードＲを選別機構５で選択的に排除するようにカード処理ユニットＡを制御する。
【００３２】
より詳細には、制御部Ｕは、以下のような「カード発行モード」と「カード分類モード」とを切換可能に構成されている。前者の「カード発行モード」において制御部Ｕは、データ処理部４がデータ処理を行うと共に、当該データ処理が正常に行われなかったカードＲのみを選別機構５によって排除するような制御を行う。また、後者の「カード分類モード」において制御部Ｕは、データ処理部４が良否判定を行うと共に、当該良否判定の結果が「良」であったカードＲのみを選別機構５によって排除するような制御を行う。
【００３３】
ここで、カード処理ユニットＡの本体ａ０に対して、扉体Ｅが開閉可能に設けられている。この扉体Ｅは、実際には図２に示すように、カード処理ユニットＡを収納するカード販売機の筐体Ｄに対して開閉可能に取り付けられている。また、当該筐体Ｄの上部には、扉体Ｅの開閉を検知する開閉スイッチ（開閉検知手段）Ｆが設けられている。そして、制御部Ｕは、開閉スイッチＦが扉体Ｅの開放を検知すると「カード分類モード」となり、開閉スイッチＦが扉体Ｅの閉鎖を検知すると「カード発行モード」となるように構成されている（図３参照）。
【００３４】
〈カード販売機の構成〉
次に、上記のようなカード処理ユニット（カード発行装置）Ａを用いたカード販売機の構成について簡単に説明する。図２に示すように、このカード販売機は、カード処理ユニットＡの他に、紙幣処理ユニットＢおよび硬貨処理ユニットＣを備えている。これらのユニットＡ，Ｂ，Ｃは、上記筐体Ｄ内に（それぞれ前方に引き出し可能に）収納されている。
【００３５】
また、上記扉体Ｅの前面には、複数の選択ボタンｅ１と、２つの金額表示部ｅ２，ｅ３と、状態表示部ｅ４とが設けられている。このうち選択ボタンｅ１は、例えば「５００円」「１０００円」「３０００円」「５０００円」「１００００円」の各金額ボタンと、「精算」ボタンとからなる。また、状態表示部ｅ４は、取扱中であるか否かの表示や、釣り銭切れの表示等を行うようになっている。一方、扉体Ｅの内面には係員用操作部Ｇが設けられている。
【００３６】
ここで、カード処理ユニットＡは上記カード入出口ａ１を、紙幣処理ユニットＢは紙幣挿入口ｂ１および紙幣返却口ｂ２を、硬貨処理ユニットＣは硬貨返却口ｃ１を、それぞれ前面側に有している。
【００３７】
そして、扉体Ｅには、それらのカード入出口ａ１、紙幣挿入口ｂ１、紙幣返却口ｂ２および硬貨返却口ｃ１に対応して、扉体カード入出口ｅ１０、扉体紙幣挿入口ｅ１１、扉体紙幣返却口ｅ１２および扉体硬貨返却口ｅ１３がそれぞれ形成されている。
【００３８】
次に、図３に示すように、カード販売機は上記制御部Ｕを備えており、この制御部Ｕに対して、電源ユニットＰの他、上記の各ユニットＡ，Ｂ，Ｃ、開閉スイッチＦ、係員用操作部Ｇ、選択ボタンｅ１、金額表示部ｅ２，ｅ３および状態表示部ｅ４が接続されている。なお、各選択ボタンｅ１は、操作用の押しボタンとしての選択ボタン自体に加えて、それぞれＬＥＤ表示部を有している。
【００３９】
〈選別機構の具体的構成〉
次に、カード処理ユニット（カード発行装置）Ａにおける選別機構５の具体的構成について、図４を参照して説明する。
【００４０】
まず、図４において、上記搬送路３０を構成する左右一対の通路側板３０ａ,３０ｂが設けられている。これらの通路側板３０ａ,３０ｂ同士の間には、上記搬送ローラ３２が配置されている。一方の通路側板３０ａの内側には、カードＲの一側縁を支持する固定支持部材５０が固着されている。また、他方の通路側板３０ｂに対応して、カードＲの他側縁を支持する可動支持部材５２が配置されている。この可動支持部材５２は、通路側板３０ｂに形成されたスリット３８を貫通して、当該通路側板３０ｂの内側へ突出するようになっている。
【００４１】
そして、選別機構５は、上記可動支持部材５２を先端に有する従動レバー５３と、このレバー５３を、リンク部材５４を介して支軸５３ａ回りに揺動させるためのロータリソレノイド５６とを備えている。このロータリソレノイド５６に対しては、従動レバー５３を手動で動作させるための手動レバー５８が取り付けられている。この手動レバー５８は、カードＲの詰まり解除等のために利用されるものである。
【００４２】
通常は、搬送路３０において、両支持部材５０，５２によって両側縁を支持されたカードＲが、その上面に当接する搬送ローラ３２によって略水平に搬送され、選別機構５の部分をそのまま通過するようになっている。一方、選別機構５がカードＲの排除を行う場合は、ロータリソレノイド５６の作動によってレバー５３を（図４の左方へ）揺動させることで、可動支持部材５２による一側縁の支持を失ったカードＲが搬送路３０から落下するようになっている。
【００４３】
このような選別機構５によれば、従来の揺動爪式の振分け機構１０６（図８）等によってカードＲを搬送路から強制的に排除する場合と異なり、カードＲの湾曲や撓みを生ずることがない。従って、比較的剛性の高いカードＲであっても、排除動作による損傷を被るおそれがなくなる。
【００４４】
〈動  作〉
次に、本実施形態のカード処理ユニット（カード発行装置）Ａを用いたカード販売機の動作について、主に図５および図６のフローチャートに沿って説明する（適宜、図１、図２または図３を参照のこと）。
【００４５】
図５および図６において、このカード販売機は、上述したとおり扉体Ｅの開閉に応じて「カード分類モード」と「カード発行モード」とが自動的に切り換えられるようになっている（ステップＳ０）。そこで、以下の説明は「カード発行モード」（扉体の閉鎖時）と「カード分類モード」（扉体の開放時）とに大別して行うこととする。
【００４６】
（１）「カード発行モード」における動作（図５）
このモードは、利用者によって利用される状態であり、カードＲの発行（新規発行もしくは加算処理）または精算処理が行われる。
【００４７】
（１−１）カードの発行（新規発行処理）
待機状態においてカードＲが挿入されずに（ステップＳ１０）現金が投入されると（ステップＳ１１）、投入金額以下の選択ボタンｅ１（のＬＥＤ）が点灯し選択可能（有効化）の状態となる（ステップＳ１２）。このとき、一方の金額表示部ｅ３に投入金額が表示される。そして、カードＲが挿入されることなく（ステップＳ１３）いずれかの金額の選択ボタンｅ１が押下されると（ステップＳ１４）、カード処理ユニットＡにおいてカードＲの発行処理が行われる（ステップＳ１５〜Ｓ１８）。
【００４８】
具体的には、カード収納部１から繰り出された新規カードＲが搬送手段３によって搬送され（ステップＳ１５）、データ処理部４によって金額や発行日等のデータの書込み処理が行われる（ステップＳ１６）。そして、データ処理部４において新規カードＲのデータ処理が正常に行われたことが確認されたら（ステップＳ１７）、当該カードＲがカード入出口ａ１（ｅ１０）より発行される（ステップＳ１８）。
【００４９】
一方、データ処理部４において新規カードＲのデータ処理が正常に行われたことが確認されない場合は（ステップＳ１７）、当該カードＲが選別機構５側へ逆送され、選別機構５によってカード回収箱６へ排除、回収される（ステップＳ１７’）。その後、改めてカード収納部１から繰り出される別の新規カードＲについて発行処理が行われる（ステップＳ１５〜Ｓ１８）。
【００５０】
なお、選択ボタンｅ１が押下された時点（ステップＳ１４）で、上記金額表示部ｅ３の表示が釣り銭金額（投入金額から選択ボタンｅ１で選択された金額を引いた額）に切り換えられると共に、選択された金額が他方の金額表示部ｅ２に表示されることになる。
【００５１】
そして、釣り銭がある場合は（ステップＳ１９）、紙幣処理ユニットＢないし硬貨処理ユニットＣから釣り銭金額に応じた貨幣が投出される（ステップＳ２０）。また、発行した新規カードＲがカード入出口ａ１（ｅ１０）から抜き取られた時点で、上記金額表示部ｅ２の表示が消される。なお、有効化された選択ボタンｅ１が何ら押下されなかった場合は（ステップＳ１４）、カードＲの発行が行われることなく、投入された貨幣が返却される（ステップＳ２１）。
【００５２】
（１−２）カードの発行（加算処理）
待機状態において、利用者のカードＲがカード入出口ａ１（ｅ１０）から挿入され（ステップＳ１０）、（精算ボタンが押下されることなく（ステップＳ２２））現金が投入されると（ステップＳ２３）、投入金額以下の選択ボタンｅ１（のＬＥＤ）が点灯し選択可能（有効化）の状態となる（ステップＳ２４）。このとき、金額表示部ｅ２，ｅ３にカードＲの残額と投入金額とがそれぞれ表示される。
【００５３】
そして、いずれかの金額の選択ボタンｅ１が押下されると（ステップＳ２５）、カード処理ユニットＡにおいてカードＲの発行（加算）処理が行われる（ステップＳ２６〜Ｓ２８→Ｓ１７，Ｓ１８／ステップＳ２６，Ｓ２７→Ｓ３３，Ｓ１５〜Ｓ１８）。
【００５４】
具体的には、挿入された利用者のカードＲがデータ処理部４へ搬送され（ステップＳ２６）、データ処理部４において良否判定により再使用可能であるか否かが確認される（ステップＳ２７）。そして、再使用可能なカードＲは、データ処理部４において加算処理（残額と選択金額との合計金額や発行日等のデータの書換え処理）が行われる（ステップＳ２８）。
【００５５】
一方、再使用不能なカードＲは、選別機構５側へ搬送され、選別機構５によってカード回収箱６へ排除、回収される（ステップＳ３３）。その後、改めてカード収納部１から繰り出される新規カードＲについて、同様のデータ処理（上記合計金額や発行日等のデータの書込み処理）が行われる（ステップＳ１５〜Ｓ１６）。
【００５６】
そして、データ処理部４において、挿入された利用者のカードまたは新規カードＲのデータ処理が正常に行われたことが確認されたら（ステップＳ１７）、当該カードＲがカード入出口ａ１（ｅ１０）より発行される（ステップＳ１８）。一方、データ処理部４においてデータ処理が正常に行われたことが確認されない場合は（ステップＳ１７）、当該カードＲが選別機構５側へ逆送され、選別機構５によってカード回収箱６へ排除、回収される（ステップＳ１７’）。その後、改めてカード収納部１から繰り出される新規カードＲについて同様の処理が行われる（ステップＳ１５〜Ｓ１８）。
【００５７】
なお、選択ボタンｅ１が押下された時点（ステップＳ２５）で、金額表示部ｅ２の表示が上記合計金額に切り換えられると共に、金額表示部ｅ３の表示が釣り銭金額に切り換えられる。そして、発行した新規カードＲがカード入出口ａ１（ｅ１０）から抜き取られた時点で、金額表示部ｅ２の表示が消され、釣り銭がある場合は（ステップＳ１９）釣り銭金額に応じた貨幣が投出されると（ステップＳ２０）金額表示部ｅ３の表示が消される。
【００５８】
なお、カード挿入後に現金の投入がなかったり（ステップＳ２３）、有効化された選択ボタンｅ１が何ら押下されなかったりした場合は（ステップＳ２５）、挿入された利用者のカードＲが返却される（ステップＳ３２）。
【００５９】
（１−３）カードの精算処理
待機状態において、利用者のカードＲがカード入出口ａ１（ｅ１０）から挿入されると（ステップＳ１０）、当該カードＲのデータが確認される。そして、データが正常であると判断されれば、選択ボタンｅ１の１つである精算ボタン（のＬＥＤ）が点灯され、精算処理が可能となる。このとき、当該カードＲの残額が金額表示部ｅ２に表示される。
【００６０】
その後、精算ボタンが押下されると（ステップＳ２２）、紙幣処理ユニットＢないし硬貨処理ユニットＣから上記残額に応じた貨幣が投出され（ステップＳ３０）、金額表示部ｅ２の表示が消される。その後、精算処理されたカードＲは、選別機構５側へ搬送され、選別機構５によってカード回収箱６へ排除、回収される（ステップＳ３１）。また、挿入されたカードＲに残額がない場合も（ステップＳ２９）同様にして回収が行われる（ステップＳ３１）。
【００６１】
なお、精算ボタンの点灯後、所定時間以内に精算ボタンが押下されず（ステップＳ２２）、現金の投入もなかった場合は（ステップＳ２３）、挿入された利用者のカードＲが返却される（ステップＳ３２）
（２）「カード分類モード」における動作（図６）
このモードは、係員（管理者）によって利用される状態であり、カード収納部に充填すべきカードＲの良否に応じた分類処理が行われる。
【００６２】
まず、開扉状態にあるカード販売機の筐体Ｄからカード処理ユニットＡが前方に引き出され、当該ユニットＡのカード収納部１に補充用のカードＲが装填される。次に、係員用操作部Ｇの操作により分類開始指示がなされると（ステップＳ４０）、カード収納部１からのカードＲの繰出しおよび搬送が行われる（ステップＳ４２）。そして、データ処理部４まで搬送されたカードＲは、当該データ処理部４によって、データの消去（初期化）がなされる（ステップＳ４３）と共に、データ記録部の良否判定がなされる（ステップＳ４４）。
【００６３】
その結果、データ記録部が正常であるとされた「良」判定のカードＲは、選別機構５側へ逆送され（ステップＳ４５）、選別機構５によってカード回収箱６へ排除、回収される（ステップＳ４６）。一方、データ記録部が正常でないとされた「不良」判定のカードＲは、そのままカード入出口ａ１（ｅ１０）まで搬送され（ステップＳ４７）、係員によって回収される。
【００６４】
以上のようにして、１枚のカードＲの分類処理が行われた後、その次のカードＲが繰り出され、同様の分類処理（ステップＳ４２〜Ｓ４６／Ｓ４２〜Ｓ４４→Ｓ４７）が行われる。そして、全てのカードＲが分類処理されてカード収納部１内のカードＲが無くなるまでこれが繰り返される（ステップＳ４１）。
【００６５】
分類処理の終了後、係員がカード回収箱６をユニット本体ａ０から取り出し、回収箱６内の「良」判定のカードＲをカード収納部１内に移し換える。なお、カードＲを良否判定して分類する際にデータ記録部を初期化しているので、「良」判定のカードＲはそのまま再使用することが可能となる。最後に、カード処理ユニットＡを販売機の筐体Ｄ内へ押し戻し、扉体Ｅを閉じれば、カードの補充作業が終了する。なお、カード入出口ａ１（ｅ１０）から回収された「不良」判定のカードＲは、係員によって処分される。
【００６６】
〈作用効果〉
次に、このような構成よりなる本実施形態の作用効果について説明する。
【００６７】
本実施形態によれば、上述したように、「カード分類モード」において、カード収納部１から繰り出されて搬送されるカードＲのデータ記録部に対して、データ処理部４が良否判定を行い、「良」判定のカードＲが選別機構５によって搬送路３０から排除され、カード回収箱６に回収される。一方、「不良」判定のカードＲは、そのまま搬送されてカード発行口ａ１から装置外へ出される。
【００６８】
これにより、カード収納部１に収納された複数枚のカードＲを良否判定の結果に応じて分類し、データ処理が正常に行われる蓋然性の高い「良」判定のカードＲのみをカード回収箱６に回収し、再びカード収納部１に収納し直すことができる。この場合、カードＲを良否判定して分類した後、カード回収箱６を本体ａ０から取り外すことで、そこに回収した「良」判定のカードＲを一括してカード収納部１に収納し直すことができる。
【００６９】
従って、「カード発行モード」でのカードの発行等の処理において、カード収納部１から繰り出される新規カードＲがカード回収箱６に排除、回収される頻度を大幅に低減させ、円滑で効率的なカードＲの処理を確保することができる。また、カードＲの良否判定のために別途、専用の装置を用意する必要もなくなる。
【００７０】
［第２の実施形態］
まず、図７により本発明の第２の実施形態としてのカード処理ユニットＡ’について説明する。
【００７１】
〈構  成〉
本実施形態は図７に示すように、主にカード処理ユニットＡ’が、カード発行口ａ１まで搬送されたカードＲを回収するための着脱式のカード集積箱（カード集積部）８を備えた点で上記第１の実施形態と異なり、その他の構成は図１乃至図６に示す上記第１の実施形態と略同様である。
【００７２】
具体的には、カード処理ユニットＡ’の本体ａ０’において、カード入出口ａ１の下方に係合受け部ａ２が設けられている。そして、カード集積箱８は、カードＲを受け入れる箱本体８０を有し、この箱本体８０の上部外側に、ユニット本体ａ０’の係合受け部ａ２と係合する係合爪部８２が設けられている。これによりカード集積箱８は、ユニット本体ａ０’の外側に対して着脱自在となっている。この場合、扉体Ｅが開放された状態でのみ、カード集積箱８の取り付けが可能となっている。この目的のため、ガイド部材ｅ１５は扉体Ｅ側に取り付けられている。
【００７３】
その他に、本実施形態のカード処理ユニットＡ’は、カード収納部１’および繰出機構２’の構成においても上記第１の実施形態と異なっている。すなわち、図７に示すカード収納部１’は、図１に示した収納部１とは反対に、搬送路３０の上側に配置され、収納したカードＲを自重で下方へ送るようになっている。また、図７に示す繰出機構２’は、図１に示した繰出ローラ２２に代えて、並進式の繰出部材２６を有している。
【００７４】
但し、本実施形態の特徴は上記カード集積箱８を着脱自在に設けた点にあり、本実施形態のカード処理ユニットＡ’は、図１に示した上記第１の実施形態と同様のカード収納部１および繰出機構２を用いていてもよい。
【００７５】
〈作用効果〉
次に、このような構成よりなる本実施形態の作用効果について説明する。
【００７６】
本実施形態によれば、扉体Ｅが開放された「カード分類モード」の状態でカードＲを良否判定して分類する際、カード集積箱８をカード処理ユニットＡの本体ａ０’に取り付けておくことで、カード発行口ａ１まで搬送されたカードＲがカード集積箱８に回収される。そして、分類後にカード集積箱８を本体から取り外すことで、そこに回収した「不良」判定のカードＲを一括して処分することができる。なお、扉体Ｅが閉鎖された「カード発行モード」の状態では、カード集積箱８が本体ａ０’から取り外されている。
【００７７】
〈変形例〉
次に、本実施形態の変形例について、その前提となる問題点から説明する。
【００７８】
すなわち、不良カードの発生率が比較的高いＩＣカードＲにおいても、通常は「不良」判定のカードＲよりも「良」判定のカードＲの方が遙かに多くの割合を占めるので、以下のような問題が生ずることとなる。
【００７９】
まず、「カード分類モード」において、多数を占める「良」判定のカードＲをいちいち逆送、排除した後でなければ次のカードＲを繰り出すことができないので、全体としての処理時間が長くなってしまう。また、カード回収箱６の容量がカード収納部１に比べて小さい場合、「カード分類モード」において「良」判定のカードＲを排除してカード回収箱６に回収していると、途中でカード回収箱６が満杯になり、カードＲの移し替え作業を繰り返す必要が生じる。
【００８０】
そこで、本実施形態では、「カード分類モード」において、上記の分類の仕方とは反対に、「不良」判定のカードＲを選別機構５によって排除してカード回収箱６に回収し、「良」判定のカードＲをカード入出口ａ１からカード集積箱８に回収することが望ましい。この場合、カード集積箱８に回収した「良」判定のカードＲを一括してカード収納部１に収納し直し、カード回収箱６に回収した「不良」判定のカードを一括して処分することができる。
【００８１】
このように、「カード分類モード」において、少数しか含まれない「不良」判定のカードＲの方を逆送、排除することで、全体としての処理時間を短縮することができる。また、本体ａ０’の外側に取り付けられるカード集積箱８は、カード回収箱６とは異なり、カード処理ユニットＡ’の寸法に影響を与えることなく充分な容量を確保することができる。そこで、カード集積箱８の容量をカード収納部１’の容量と同等以上にしておくことで、途中でカード集積箱８が満杯になることを防止し、カードＲの移し替え作業の繰り返しを回避することができる。
【００８２】
［その他の実施形態］
以上の実施形態において、発行処理等の処理の対象としてＩＣカードＲを用いる場合について説明したが、データ記録部を有するカードであれば、ＩＣカード以外のカードを処理対象とすることもできる。
【００８３】
また、カード販売機の一部を構成するカード処理ユニットＡとしてのカード発行装置について説明したが、本発明のカード発行装置はこれに限定されるものではない。例えば、カードの発行と分類のみを行う単体のカード発行装置として構成することも可能である。
【００８４】
【発明の効果】
本発明によれば、カード分類モードにおいて、係員が、カード収納部に収納された複数枚のカードを良否判定の結果に応じて分類し、データ処理が正常に行われる蓋然性の高い「良」判定のカードのみを再びカード収納部に収納し直すことができる。従って、カード発行モードにおいて、データ処理を行ってカードを発行する際に、カードがカード回収部に排除、回収される頻度を大幅に低減させ、利用者に対する円滑で効率的なカードの発行を確保することができる。また、カードの良否判定のために別途、専用の装置を用意する必要もなくなる。
【図面の簡単な説明】
【図１】本発明によるカード発行装置の第１の実施形態を模式的に示す縦断面図。
【図２】図１に示すカード発行装置を用いたカード販売機を示す図であって、（ａ）は閉扉時の正面図、（ｂ）は開扉時の正面図。
【図３】図２に示すカード販売機のシステム構成を示すブロック図。
【図４】図１に示すカード発行装置の選別機構を、搬送路の横断面に対応して示す図。
【図５】図２に示すカード販売機の「カード発行モード」における動作を示すフローチャート。
【図６】図２に示すカード販売機の「カード分類モード」における動作を示すフローチャート。
【図７】本発明によるカード発行装置の第２の実施形態を模式的に示す縦断面図。
【図８】従来のカード発行装置を模式的に示す縦断面図。
【符号の説明】
Ａ  カード処理ユニット（カード発行装置）
ａ０  本体
ａ１  カード入出口（カード発行口）
１  カード収納部
２  カード繰出機構（カード繰出手段）
３  搬送手段
３０  搬送路
４  データ処理部（データ処理手段）
５  選別機構（選別手段）
６  カード回収箱（カード回収部）
Ａ’  カード処理ユニット（カード発行装置）
ａ０’  本体
ａ３  回収箱係合部
１’  カード収納部
２’  カード繰出機構（カード繰出手段）
８  カード集積箱（カード集積部）
Ｂ  紙幣処理ユニット
Ｃ  硬貨処理ユニット
Ｄ  筐体
Ｅ  扉体
ｅ１０  扉体カード入出口（扉体カード発行口）
Ｆ  開閉スイッチ（開閉検知手段）
Ｕ  制御部（制御手段）
Ｒ  ＩＣカード
【図１】
0003808308.tif 000002
【図２】
0003808308.tif 000003
【図３】
0003808308.tif 000004
【図４】
0003808308.tif 000005
【図５】
0003808308.tif 000006
【図６】
0003808308.tif 000007
【図７】
0003808308.tif 000008
【図８】
0003808308.tif 000009